(57)【要約】      （修正有）【課題】アーチェリー用弓のためのリムポケットに関し、アーチェリー用弓のための１つ以上の位置調整可能なリム接触部材を提供する。【解決手段】アーチェリー用弓の調節可能なリムポケット１１０は、ポケットインサート１２４の長さに沿って延びる少なくとも１つのチャネルを有するポケットインサートを含む。少なくとも１つのチャネル１３０，１３２は、複数の取り付け位置を含むことができる。リム接触部材１３４，１３６はリムポケット内に保持される弓リム１０４を支持するために、複数の取り付け位置のうちの１つに連結され得る。１つ以上のリム接触部材は、アーチェリー用弓の弓弦張力を変化させるために、および／または弓弦が引かれ放たれるときに弓リムの遠位先端部の動きを操作するために、ポケットインサートの１つ以上のチャネル内で位置調整可能であり得る。【選択図】図２
2020183861.tif 000002
【特許請求の範囲】
【請求項１】
リムポケットを有するライザーと、
前記ライザーの反対側の遠位端部、並びに前記ライザーの前記リムポケット内に保持されるとともにライザーに面する表面および外側に面する表面を有する近位端部を有するリムと、
前記リムポケット内に配置され、前記リムの前記ライザーに面する表面上の複数の位置のうちの１つにおいて前記リムに接触するリム接触部材と、を備えるアーチェリー用弓組立体であり、
前記リム接触部材は、前記リムポケット内の前記複数の位置のうちの１つにおいて位置調整可能であり、前記リムポケットに対する前記リム接触部材の取り付け位置に基づいて、前記アーチェリー用弓組立体の弦張力を変化させる、アーチェリー用弓組立体。
【請求項２】
前記複数の位置は、前記リムポケットによって画定されるチャネル内の第１の取り付け位置を含む、複数の取り付け位置を備える、請求項１に記載のアーチェリー用弓組立体。
【請求項３】
前記アーチェリー用弓組立体の前記弦張力が、前記リム接触部材が前記第１の取り付け位置で前記リムポケットに取り付けられたときに第１の値を有し、前記アーチェリー用弓組立体の前記弦張力が、前記リム接触部材が第２の取り付け位置で前記リムポケットに取り付けられたときに第２の値を有する、請求項２に記載のアーチェリー用弓組立体。
【請求項４】
前記リムポケット内で位置調整可能であり、前記リムポケットに取り付け可能であり、前記リムの前記ライザーに面する表面上の第２の複数の位置のうちの１つで前記リムを支持する第２のリム接触部材をさらに備える、請求項１に記載のアーチェリー用弓組立体。
【請求項５】
前記リム接触部材は、締結具を使用して前記リムポケットに取り付け可能である、請求項１に記載のアーチェリー用弓組立体。
【請求項６】
前記リム接触部材と前記リムポケットとの間に配置される少なくとも１つのシムをさらに備える、請求項１に記載のアーチェリー用弓組立体。
【請求項７】
前記リムの前記近位端部は、リムボルトと係合するように構成される、請求項１に記載のアーチェリー用弓組立体。
【請求項８】
前記リムポケットは、少なくとも１つのウェイトを受け入れるように構成される凹部を画定する、請求項１に記載のアーチェリー用弓組立体。
【請求項９】
前記複数の位置は、前記リムの長手方向軸に沿った異なる場所を含む、請求項１に記載のアーチェリー用弓組立体。
【請求項１０】
前記少なくとも１つのウェイトは、前記リムが前記リムポケット内に保持されるときに、前記リムの前記近位端部によって少なくとも部分的に隠される、請求項８に記載のアーチェリー用弓組立体。
【請求項１１】
弦と、
ライザーと、
を備える、アーチェリー用弓組立体であり、
前記ライザーは、
ハンドグリップ部分と、
チャネルを含むリムに面する表面を画定するリムポケットと、
前記チャネル内に保持されるように構成され、前記チャネル内で位置調整可能な再配置可能なリム接触部材と、
前記ライザーの反対側の遠位端部、並びに前記ライザーの前記リムポケット内に保持されるとともにライザーに面する表面および外側に面する表面を画定する近位端部を有するリムと、
を備え、
前記リム接触部材は、可変位置で前記リムの前記近位端部の前記ライザーに面する表面を支持し、前記チャネル内の前記リム接触部材の取り付け位置に基づいて前記アーチェリー用弓組立体の弦張力を変化させる、アーチェリー用弓組立体。
【請求項１２】
前記チャネルは、前記リムポケットの長さに沿って延びる、請求項１１に記載のアーチェリー用弓組立体。
【請求項１３】
前記チャネルは、複数の取り付け位置を含む、請求項１１に記載のアーチェリー用弓組立体。
【請求項１４】
前記リムポケットは中心面を含み、
前記チャネルは第１のチャネルであり、前記リムに面する表面は第２のチャネルをさらに含み、
前記第１および第２のチャネルは前記中心面の両側に配置される、請求項１１に記載のアーチェリー用弓組立体。
【請求項１５】
前記リムの前記近位端部の前記ライザーに面する表面を支持する第２のリム接触部材をさらに備え、
前記第２のリム接触部材は、前記第２のチャネル内の前記第２のリム接触部材の第２の取り付け位置に基づいて、前記アーチェリー用弓組立体の前記弦張力を変化させるように構成される、請求項１４に記載のアーチェリー用弓組立体。
【請求項１６】
弦と、
調節可能なリムポケット組立体を有するライザーと、
前記ライザーから離れて延びる遠位端部、並びに前記リムポケット組立体内に保持されるとともにライザーに面する表面および外向きに面する表面を有する近位端部を有するリムと、
を備えるアーチェリー用弓組立体であり、
前記調節可能なリムポケット組立体は、
凹部を画定する、リムに面する表面を有するリムポケットと、
横方向に間隔を置いて配置されるチャネルの対を画定し、前記リムポケットの前記凹部内に受け入れ可能なポケットインサートと、
それぞれのリム接触部材が複数の取り付け位置のうちの１つの取り付け位置に取り外し可能に結合するように構成されるリム接触部材の対と、
を備え、
横方向に間隔を置いて配置される前記チャネルの対の各チャネルは、前記ポケットインサートの長さに沿って延び、前記複数の取り付け位置を含み、
前記リム接触部材の対の各リム接触部材は、前記取り付け位置に対して前記リムの前記ライザーに面する表面上の位置に接触する、アーチェリー用弓組立体。
【請求項１７】
前記ポケットインサートは、前記リムに面する表面の前記凹部内に受け入れられるように構成される突起を含む、請求項１６に記載のアーチェリー用弓組立体。
【請求項１８】
前記ポケットインサートは、前記リムの前記ライザーに面する表面から延びる、あり継ぎボルトの対応する部分を受け入れるように構成される、あり継ぎトラックをさらに画定する、請求項１６に記載のアーチェリー用弓組立体。
【請求項１９】
前記リムの前記近位端部は、リムボルトの一部を受け入れるように構成されるノッチを含む、請求項１６に記載のアーチェリー用弓組立体。
【請求項２０】
前記ポケットインサートは、前記リムポケットの遠位端部で受け入れ可能である、請求項１６に記載のアーチェリー用弓組立体。
【請求項２１】
前記リム接触部材の対は第１のリム接触部材および第２のリム接触部材を備え、
前記第１のリム接触部材は前記リムポケットの遠位端部から第１の距離に配置され、
前記第２のリム接触部材は前記リムポケットの前記遠位端部から第２の距離に配置される、請求項１６に記載のアーチェリー用弓組立体。
【請求項２２】
前記第１の距離は前記第２の距離よりも長い、請求項２１に記載のアーチェリー用弓組立体。
【請求項２３】
チャネルを画定するリムポケットを有するライザー、前記ライザーから離れるように延びる遠位端部および前記ライザーの前記リムポケットに保持される近位端部を有するとともにライザーに面する表面および外側に面する表面を有するリム、並びに前記チャネル内の第１の取り付け位置で連結されるとともに前記リムの前記ライザーに面する表面を支持するように構成されるリム接触部材、を備えるアーチェリー用弓組立体を提供する提供ステップと、
前記リム接触部材を前記チャネル内の前記第１の取り付け位置から切り離す切離ステップと、
前記リム接触部材を前記チャネル内の第２の取り付け位置に連結する連結ステップと、
を含む、アーチェリー用弓を調整する方法。
【発明の詳細な説明】
【技術分野】
【０００１】
本開示は、一般にアーチェリー用弓のためのリムポケットに関し、および具体的には、アーチェリー用弓のための１つ以上の位置調整可能なリム接触部材に関する。
【背景技術】
【０００２】
アーチェリーは、射手がアーチェリー用弓の弓弦を引いて放ち、矢または他の発射体を射程内に射るスポーツである。多くの他のスポーツと同様に、射手のパフォーマンスをより最高にし、高めるために、調節可能でカスタマイズ可能なアーチェリー機器が望ましい。この目的のために、射手は定期的にアーチェリー機器を微調整、調整、調節、またはその他の方法で操作して、ショット配置の正確さと再現性を高める。
【０００３】
アーチェリー用弓のライザーに対して弓リムを保持または固定するための機構または組立体は、ライザーに対してリムがどのように撓みまたは曲がるかを決定することによって、正確かつ反復可能な性能を達成するために使用され得る。一般に、各弓リムは、ライザーのそれぞれのリムポケット内に固定または保持される。リムポケットは、リムポケット内にリムを配置、支持、保持するためにリムと係合するリムボルト（すなわち、ティラーボルト）およびあり継ぎボルトを受け入れるように構成され得る。
【０００４】
リムボルトが調節されるときに、リムの近位端部は、ライザーに対して前方または後方に移動する。アーチェリー用弓の「ティラー（tiller）」とは、上リムから弦までの垂直距離と、下リムから弦までの垂直距離との差である。つまり、ねじ式リムボルト（つまりティラーボルト）を回転させると、アーチェリー用弓の「ティラー」が変わる。例えば、射手は、上リムボルトを時計回りに回転させ、下リムボルトを反時計回りに回転させて、アーチェリー用弓のティラーを調節することができる。その結果、アーチェリー用弓のティラーを調節するこの方法は、各リムボルトが限られた回数の回転しか受けることができないので、アーチェリー用弓のドローウェイトを調節する射手の能力を妨げるおそれがある。
【０００５】
射手の様々な好みに適応するために、多くの大きさおよび形状の弓リムをライザーに連結することができる。射手は一対のリムを別の一対のリムで置き換えることによって、自分のアーチェリー用弓の射撃特性を操作することができるが、複数対のリムを購入および運ぶことは、費用がかかり不便であることがある。さらに、アーチェリー用弓のリムを交換することは、新しいリムから最適な性能を確保するために、射手が射撃技術および筋肉記憶を変えることを必要とされ得る。
【０００６】
上記および他の問題に鑑みて、リムポケット組立体内のリム支持体を含むアーチェリー機器の向上が必要とされている。
【発明の概要】
【０００７】
本開示の一態様によれば、アーチェリー用弓組立体が提供される。組立体は、リムポケットを有するライザーを備えることができる。組立体はまた、ライザーから離れて延びる遠位端部と、ライザーのリムポケット内に保持される近位端部とを有するリムを含むことができる。リムの近位端部は、ライザーに面する表面と、外側に面する表面とを含むことができる。組立体はまた、リムポケット内で位置調整可能であり、リムポケットに取り付け可能であるリム接触部材を含むことができる。リム接触部材は、リムのライザーに面する表面上の複数の位置のうちの１つでリムを支持することができる。リム接触部材は、リムポケットに対するリム接触部材の取り付け位置に基づいて、アーチェリー用弓組立体の弦張力を変化させるように構成され得る。
【０００８】
取り付け位置は、リムポケットによって画定されるチャネル内の複数の取り付け位置のうちの第１の取り付け位置とすることができる。アーチェリー用弓組立体の弦張力は、リム接触部材が第１の取り付け位置でリムポケットに取り付けられているときに、第１の値とすることができ、およびリム接触部材が第２の取り付け位置でリムポケットに取り付けられているときに、第２の値とすることができる。アーチェリー用弓組立体は、第２のリム接触部材をさらに備えることができる。第２のリム接触部材は、リムポケット内で位置調整可能であり、リムポケットに取り付け可能であり得る。第２のリム接触部材は、リムのライザーに面する表面上の第２の複数の位置のうちの１つでリムを支持することができる。リム接触部材および第２のリム接触部材は、締結具を使用してリムポケットに取り付けられ得る。
【０００９】
アーチェリー用弓組立体はまた、リム接触部材とリムポケットとの間に配置される少なくとも１つのシムを含むことができる。リムの近位端部は、少なくとも１つのウェイトを受けるように構成され得る。少なくとも１つのウェイトは、リムがリムポケット内に保持されるときに、リムの近位端部によって少なくとも部分的に隠され得る。
【００１０】
本開示の別の態様では、別のアーチェリー用弓組立体が、弦と、ライザーとを備えることができる。ライザーは、ハンドグリップ部分と、リムポケットとを含むことができる。リムポケットは、チャネルを有するリムに面する表面を画定することができる。組立体はまた、チャネル内に保持されるように構成されるリム接触部材を含むことができる。リム接触部材は、チャネル内で位置調整可能であり得る。組立体はまた、ライザーから離れて延びる遠位端部と、ライザーのリムポケット内に保持される近位端部とを有するリムを含むことができる。リムの近位端部は、ライザーに面する表面と、外側に面する表面とを画定することができる。リム接触部材は、リムの近位端部のライザーに面する表面を支持して、チャネル内のリム接触部材の取り付け位置に基づいてアーチェリー用弓組立体の弦張力を変化させることができる。
【００１１】
チャネルは、リムポケットの長さに沿って延びることができる。チャネルは、複数の取り付け位置を含むことができる。リムポケットは、中心面を備えることができる。チャネルは第１のチャネルとすることができ、またリムポケットのリムに面する表面は、第２のチャネルを含むことができる。第１および第２のチャネルは、リムポケットの中心面の両側に配置することができる。アーチェリー用弓組立体は、第２のリム接触部材をさらに含むことができる。第２のリム接触部材は、リムの近位端部のライザーに面する表面を支持することができる。第２のリム接触部材は、第２のチャネル内の第２のリム接触部材の第２の取り付け位置に基づいて、アーチェリー用弓組立体の弦張力を変化させるように構成され得る。
【００１２】
本開示の別の態様では、アーチェリー用弓組立体は、弦と、ライザーとを備えることができる。ライザーは、調節可能なリムポケット組立体を含むことができる。調節可能なリムポケット組立体は、リムに面する表面を有するリムポケットを備えることができる。リムに面する表面は、凹部を画定することができる。調節可能なリムポケット組立体はまた、ポケットインサートを備えることができる。ポケットインサートは、一対の横方向に離間したチャネルを画定することができる。ポケットインサートは、リムポケットの凹部内に受け入れ可能である。一対の横方向に離間したチャネルの各チャネルは、ポケットインサートの長さに沿って延びることができる。各チャネルはまた、複数の取り付け位置を含むことができる。調節可能なリムポケット組立体はまた、一対のリム接触部材を含むことができる。一対のリム接触部材の各リム接触部材は、複数の取り付け位置のうちの１つの取り付け位置に着脱可能に連結するように構成され得る。アーチェリー用弓組立体はまた、ライザーから離れて延びる遠位端部と、リムポケット組立体内に保持される近位端部とを有するリムを含むことができる。リムの近位端部は、ライザーに面する表面と、外側に面する表面とを有することができる。一対のリム接触部材の各リム接触部材は、取り付け位置に対してリムのライザーに面する表面上の位置に接触することができる。
【００１３】
ポケットインサートは、リムに面する表面の凹部内に受けられるように構成される突出部を含むことができる。ポケットインサートは、リムのライザーに面する表面から延びるあり継ぎボルトの対応する部分を受け入れるように構成される、あり継ぎトラックを画定することができる。リムの近位端部は、リムボルトの一部を受け入れるように構成されるノッチを含むことができる。ポケットインサートは、リムポケットの遠位端部で受け入れ可能であり得る。一対のリム接触部材は、第１のリム接触部材と、第２のリム接触部材とを備え得る。第１のリム接触部材はリムポケットの先端から第１の距離に配置し得るとともに、第２のリム接触部材はリムポケットの先端から第２の距離に配置し得る。第１の距離は、第２の距離よりも大きくなり得る。
【００１４】
本開示のさらに別の態様では、アーチェリー用弓を調整する方法が示され、説明される。この方法は、ライザーと、リムと、リム接触部材とを提供することを含むことができる。ライザーは、チャネルを画定するリムポケットを有することができる。リムは、ライザーから離れて延びる遠位端部と、ライザーのリムポケットに保持される近位端部とを有することができる。リムは、ライザーに面する表面と、外側に面する表面とを有することができる。リム接触部材は、チャネル内の第１の取り付け位置で連結し得る。リム接触部材は、リムのライザーに面する表面を支持するように構成され得る。この方法は、チャネル内の第１の取り付け位置からリム接触部材を切り離すステップを含むことができる。この方法はまた、チャネル内の第２の取り付け位置でリム接触部材を連結するステップを含むことができる。
【００１５】
本発明の上記の概要は、本発明のあらゆる実施態様の各態様を説明することを意図するものではない。以下の図面および詳細な説明は、本開示の態様をより具体的に例示する。
【図面の簡単な説明】
【００１６】
【図１Ａ】弓弦を延伸状態に維持する射手の手の側面図を表示する。
【図１Ｂ】本開示の一態様による、リカーブボウの側面図を表示する。
【図１Ｃ】図１Ｂに表示されるアーチェリー用弓１００の拡大等角図を表示する。
【図２】図１Ｂのアーチェリー用弓の上部の分解等角図を示す。
【図３】図３Ａは、本開示の一態様による、ポケットインサートの上面図を表示する。図３Ｂは、本開示の一態様による、ポケットインサートの等角図を表示する。図３Ｃは、本開示の一態様による、ポケットインサートと、リム接触部材と、シムとの分解等角図を表示する。
【図４】図４Ａは、本開示の一態様による、ライザーのリムポケットの正面図を表示する。図４Ｂは、本開示の一態様による、ライザーのリムポケットの等角図を表示する。
【図５】図５Ａは、本開示の一態様による、位置調整可能なリム接触部材を有するリムポケットの正面図を表示する。図５Ｂは、本開示の一態様による、位置調整可能なリム接触部材を有するリムポケットの等角図を表示する。図５Ｃは、本開示の別の態様による、位置調整可能なリム接触部材を有するリムポケットの等角図を表示する。
【図６】図６Ａは、アーチェリー用弓の上部の正面図を表示する。図６Ｂは、リム接触部材が第１の位置にあるアーチェリー用弓の上部の側面断面図を表示し、この断面は図６Ａの線６-６に沿って取られている。図６Ｃは、リム接触部材が第２の位置にあるアーチェリー用弓の上部の側面断面図を表示し、この断面は図６Ａの線６-６に沿って取られている。図６Ｄは、リム接触部材が第３の位置にあるアーチェリー用弓の上部の側面断面図を表示し、この断面は図６Ａの線６-６に沿って取られている。図６Ｅは、図６Ｂ−Ｄに表示される各例示的態様に関連する、結果として生じる弓弦張力およびドローウェイトを示すグラフ図を表示する。
【図７】図７Ａは、アーチェリー用弓の上部の正面図を表示する。図７Ｂは、アーチェリー用弓の上部の上面断面図を示し、この断面は図７Ａの線７-７に沿って取られている。
【図８】ポケットインサートおよびその上に配置されるリム接触部材を有するライザーのリムポケットの等角図を表示する。
【図９】位置調整されるリム接触部材を有する、線７-７を通る図７Ａのアーチェリー用弓の上面断面図を表示する。
【図１０】ライザーおよびウェイトの上部の分解等角図を表示する。
【発明を実施するための形態】
【００１７】
添付の図面および図は、多くの例示的な態様を図示し、本明細書の一部である。本説明と共に、これらの図面は本開示の様々な原理を実証し、説明する。本発明の性質および利点のさらなる理解は、以下の図面を参照することによって実現され得る。添付の図において、同様の構成要素または特徴は、同じ参照符号を有する可能性がある。
【００１８】
本開示は一般に、アーチェリー用弓リムを調節するための装置、方法、および組立体に関する。アーチェリー用弓を引いている間、射手は弓弦をライザーから離れるように引っ張る（例えば、図１Ａの方向Ｚ１）。弓弦は、弓弦が引かれるときにライザーに対して偏向、またはその他の方法で曲がる一組のリムの間に延び、それによってエネルギーを蓄積することができる。次いで、このエネルギーは弓弦と取り外し可能に連結される発射体（例えば、矢またはボルト）内に移送されて、発射体を射程内に射ることができる。この発射プロセスの効率、精度、および再現性は、各リムがそれぞれのリムポケット組立体に対して偏向する方法に大きく依存し得る。調節可能なまたはその他の方法で位置調整可能なリム接触部材を有するアーチェリー用弓は、アーチェリー用弓を使用する射手の快適性、正確さ、精度を向上させることができる。
【００１９】
リムは、リムポケット組立体を使用して、アーチェリー用弓のライザーに支持されるか、またはその他の方法で固定され得る。リムポケット組立体は、ライザーのリムポケット内に弓リムの近位端部を保持する複数の構成要素を含むことができる。リムポケット組立体は、リムの近位端部をライザーのリムポケットに固定するように構成されるリムボルトおよび／またはあり継ぎボルトを含むことができる。リムボルトは、リムの近位端部をポケットまたはライザーに位置させまたは保つために使用される、任意の締結具または連結機構であり得る。同様に、あり継ぎボルトはリムの中間部分（例えば、リムの近位端部と遠位端部との間に位置するリムの一部）をポケットまたはライザーに位置するために使用される任意の締結具であり得る。いくつかの態様では、リムがリムボルトのシャフトを受けるために、その近位端部にノッチまたはスロットがつけられ得る。リムボルトはドローウェイトの調節を可能にするために、ライザーのリムポケットとねじ込み可能に連結され得る。リムはまた、あり継ぎボルトを受けるために、リムの近位端部近傍に開口部を含むことができる。あり継ぎボルトは、リムポケットのライザーに面する表面内の対応するあり継ぎトラックと連動する突出部を含むことができる。
【００２０】
トラディショナルアーチャーおよびリカーブアーチャーのような射手は、弓弦を保つために指を使用して弓弦を引き、放つ。言い換えれば、射手は弓弦の一部の周りに自分の指先を引っ掛けて弓弦を引き、放つ（図１Ａ参照）。その結果、弓弦内の張力FTは、射手がアーチェリー用弓を引いて引っ張られる位置を保つときに、アーチェリー用弓がどのような感触となるか、またはどのように応答するかに影響を及ぼす可能性がある。弦張力FTは、弓が引かれて放たれるときに射手の指に挟持力FPを引き起こすことがある。この挟持力FPは、射手の射撃機構若しくは射撃手順に影響を及ぼし、またはその他に影響する可能性がある。例えば、弓弦張力FTは、射手がリカーブボウに取り付けられるクリッカーを通して矢を引く方法に影響する可能性がある。同様に、弓弦張力FTは、射手が弓弦を自分の指から放つ方法に影響する可能性がある。
【００２１】
多くのリカーブアーチャーは、各弓リムの長さに依って所望の性能特性および属性を達成する（例えば、より長いリムは、より長いドローレングス（引き尺）を支持する傾向がある）。リムポケット内に位置調整可能なリム接触部材を組み込むことによって、射手は中程度の長さの一対のリムを購入し、位置調整可能なリム接触部材を使用して、リムの長さを効果的に変えて、より長いまたはより短い一対のリムとして機能させることができる。これにより、射手は単一の対のリムを利用することができ、余分な対のリムを不必要に購入し、設定することを避けることができる。さらに、アーチェリー用弓のリムを交換することは、アーチェリー用弓の射撃特性が変わる可能性があり、ひいては、射手に新しいリムに適応するよう射撃機構を修正することを要求し、これは射手のパフォーマンスに悪影響を与えるおそれがある。
【００２２】
本開示の一態様では、調節可能なリムポケット組立体は一対のリム接触部材を含むことができる。一対のリム接触部材は、ドローウェイトまたはアーチェリー用弓の他の態様に著しく影響を与えることなくアーチェリー用弓の弓弦張力を変化させるために利用し得る。一態様では、アーチェリー用弓は少なくとも１つのリムと、弓弦と、少なくとも１つの調節可能なリムポケット組立体とを有するライザーを含むことができる。調節可能なリムポケット組立体は、ライザーのリムポケット内にリムを保持、固定、またはその他の方法で支持するように構成され得る。調節可能なリムポケット組立体は、ライザーのリムポケット内の凹部に着脱可能に連結するポケットインサートを含むことができる。ポケットインサートは、少なくとも１つのリム接触部材を保持するように構成される一対のチャネルを画定することができる。以下により詳細に説明されるように、リム接触部材がチャネル内に保持される位置は、弓弦張力の変化と相関することができる。例えば、（図５Ｂに図示するように）リムポケットの遠位端部の近傍または近位に位置するリム接触部材は、特定の弓弦張力を引き起こす可能性があるが、しかしながら、その特定の弓弦張力は、チャネル内でリム接触部材を位置調整することによって変化し、または変えられ得る。実際、リム接触部材は、（図５Ｃに図示されるように）リムポケットの遠位端部から離れてまたは離間して位置調整されて、弓弦が引かれ放たれるときに曲がることを可能にするリムの部分を効果的に増加させ、それによってアーチェリー用弓の弓弦張力を変化させることができる。１つ以上のリム接触部材を調節可能なリムポケット組立体内で位置調整することによって、射手は曲がることができるリムの有効長さを操作することができ、それによって、アーチェリー用弓のドローウェイトを実質的に変化させることなく、アーチェリー用弓の弓弦張力を変化させることができる。
【００２３】
いくつかの態様では、アーチェリー用弓は上ポケット組立体および下ポケット組立体を含むことができる。この態様では、上ポケット組立体が一対のリム接触部材を含むことができ、下ポケット組立体も一対のリム接触部材を含むことができる。射手は、上下の一対のリム接触部材を位置調整して、アーチェリー用弓の弓弦張力を変化させることができる。例えば、上リム接触部材は上リムポケットの遠位端部の近くまたは近位に配置することができ、下リム接触部材は、下リムポケットの遠位端部の近くまたは近位に配置することができる。このようにして、射手は、弓が引かれて放たれる間に偏向する可能性がある各リムの部分を効果的に短くすることができる。偏向し得るリムの部分（すなわち、リムの有効長さ）を変化させまたは操作することにより、アーチェリー用弓のドローウェイトに著しく影響を与えることなく弓弦張力を変えることができる（図６Ｅ参照）。代替的に、射手は上リムポケットの遠位端部から離れるように上リム接触部材を位置調整することができ、また、下リムポケットの遠位端部から離れるように下リム接触部材を位置調整することができる。このようにして、射手は、弓が引かれて放たれる間に偏向する可能性がある各リムの部分を効果的に長くすることができ、それによってアーチェリー用弓のドローウェイトに著しく影響を与えることなく弓弦の弓弦張力を調節することができる。
【００２４】
本開示の別の態様では、一対のリム接触部材をリムポケット内に配置して、弓リムをライザーに対してねじったり、旋回させたり、またはその他の方法で回させたりすることができる。言い換えれば、リムは、リムの長手方向軸に平行に延びる軸の周りで、ねじれ、旋回し、または回され得る。ライザーに対して弓リムを旋回させるか、またはその他の方法で回すことで、射手が、弓弦が引かれ放たれている間に弓リムの遠位先端部の移動または動きを操作することを可能にする。一態様では、アーチェリー用弓は上リムと、下リムと、弓弦と、上及び下リムポケット組立体（例えば、調節可能なリムポケット組立体）とを有するライザーと、を含むことができる。上リムポケット組立体はライザーのリムポケット内に上リムを保持および支持するように構成され得る。上リムポケット組立体は、ライザーのリムポケット内の凹部に着脱可能に連結するポケットインサートを含むことができる。ポケットインサートは、少なくとも１つのリム接触部材を保持するように構成される一対のチャネルを画定することができる。以下により詳細に説明されるように、リム接触部材がチャネル内に保持される位置により、リム接触部材がリムのライザーに面する表面に接触および支持する位置を変えることができる。例えば、第１のリム接触部材はリムポケットの遠位端部の近傍または近位に配置され得る一方、第２のリム接触部材は（図８に図示されるように）リムポケットの遠位端部から離れて配置され得る。第１および第２のリム接触部材はそれぞれリムのライザーに面する表面上の第１および第２の位置に、接触および支持することができる。第１の位置は第２の位置よりもリムの近位端部から遠いので、第１および第２のリム接触部材は（図９に表示されるように）リムの長手方向軸の周りで、ライザーに対してある角度でリムを旋回または回させることができる。ライザーに対するこのリム角度は、弓リムの遠位先端部をライザーに対して旋回または回させ、それによって、射手が弓弦を引いて放つときに弓リムの遠位先端部がどのように移動または動くかを変えることができる。
【００２５】
いくつかの態様では、上および下リムポケット組立体はそれぞれポケットインサートおよびリム接触部材を含むことができる。そのような態様では、上および下リムポケット組立体はライザーに対してそれぞれの角度で、上および下リムを旋回しまたは回させるために利用され得る。このような調節可能性を利用して、熟練した射手がアーチェリー用弓の精度、再現性、および全体的なパフォーマンスを向上させるため、アーチェリー用弓を調整できる。例えば、リムの一方または両方は、弓弦が移動する平面がライザーの長手方向軸を通して延びる平面に平行であるように、旋回されまたは回され得る。
【００２６】
本開示のさらに別の態様では、ポケット組立体はライザーのリムポケット内に着脱可能に連結されるように構成される１つ以上のウェイトを含むことができる。一態様では、上ポケット組立体および下ポケット組立体はそれぞれ、ライザーの上リムポケットおよび／または下リムポケット内に動作可能に連結されるように構成される複数のウェイトを含むことができる。複数のウェイトは、ライザーの上部、ライザーの下部、またはそれらの両方でバランシングウェイトを提供するように構成され得る。射手は複数のウェイトを利用して、射手がアーチェリー用弓から矢または他の発射体を放つときに、ライザーがどのように応答するかを調整することができる。リムはライザーのリムポケット内に取り付けられるか、またはその他の方法で保持されるが、リムポケットの各々に連結される１つ以上のウェイトはリムによって部分的にまたは完全に隠され得る。例えば、１つ以上のウェイトは、リムの近位端部によって全部または部分的に隠されるリムポケットのリムに面する表面の凹部内に配置され得る。
【００２７】
本明細書は例を提供するものであり、特許請求の範囲に記載される範囲、適用性、または構成を限定するものではない。したがって、開示の精神および範囲から逸脱することなく、議論される要素の機能および配列に変更を加えることができ、様々な態様が、必要に応じて他の手順または構成要素を省略し、置換し、または追加することができることが理解されるであろう。例えば、説明される方法は、説明されるものとは異なる順序で実行されてもよく、様々なステップが追加され、省略され、または組み合わされてもよい。また、特定の態様に関して説明される特徴は、他の態様において組み合わされてもよい。場合によっては、本開示がコンパウンドボウ、リカーブボウ、およびトラディショナルボウに適用されてもよい。
【００２８】
図１Ｂは、ライザー１０２と、ライザー１０２に取り付けられる上リム１０４と、下リム１０６とを含むことができる、例示的なアーチェリー用弓１００を示す。ライザー１０２は、ハンドグリップ部分１０８と、上リムポケット１１０と、下リムポケット１１２とを含むことができる。弓弦１１３は、上リム１０４と下リム１０６との間に延びることができる。上１０４および下リム１０６は、それぞれ上および下リムポケット１１０、１１２に取り付けられ得る。ハンドグリップ部分１０８は、ライザー１０２の上および下リムポケット１１０、１１２の間のほぼ中央に位置し得る。図１Ｃは、リムボルト１１８および／またはあり継ぎボルト１２０を使用して上リム１０４の近位端部１１４を保持するように構成される上リムポケット１１０を有する、図１Ｂのアーチェリー用弓１００を表示する。同様に、下リムポケット１１２は、下リムボルト１１８および／またはあり継ぎボルト１２０を使用して下リム１０６の近位端部１１６を保持するように構成され得る。
【００２９】
また、図１Ｂは、上リム１０４および下リム１０６のそれぞれに対する、上ティラー距離TUおよび下ティラー距離TLを示す。アーチェリー用弓のティラーは、上ティラー距離TUと下ティラー距離TLとの間の差異である。一実施形態では、以下でさらに詳細に説明するように、アーチェリー用弓のティラーは、複数の位置調整可能なリム接触部材を利用することによってリムボルトを回転させることなく調節され得る。
【００３０】
図２は、アーチェリー用弓１００の上部内に１つ以上の構成要素を含むことができる調節可能なリムポケット組立体１２３を有するアーチェリー用弓１００を示す。例えば、調節可能なリムポケット組立体１２３は、リムポケット１１０と、リムボルト１１８と、１つ以上の止めねじ１２２と、ポケットインサート１２４と、１つ以上のリム接触部材１３４、１３６と、を含むことができる。一態様では、ポケットインサート１２４は上リムポケット１１０のリムに面する表面１２６上の凹部内に連結され、固定され、またはその他の方法で保持され得る。例えば、ポケットインサート１２４は、少なくとも１つの止めねじ１２２を使用して、リムポケット１１０の遠位端部１２８に連結され得る。ポケットインサート１２４は、ポケットインサート１２４の長さに沿って延び、上リムポケット１１０の遠位端部１２８に隣接する１つ以上のチャネル１３０、１３２を形成することができる。１つ以上のリム接触部材１３４、１３６は、チャネル１３０、１３２内に配置し得る。例えば、１つ以上の締結具１３８を使用して、チャネル１３０、１３２内でリム接触部材１３４、１３６を動作可能に連結することができる。他の態様では、ポケットインサート１２４はポケット組立体１２３から省略することができ、チャネル１３０、１３２はリムポケット１１０のリムに面する表面１２６内で形成されまたは画定され得る。
【００３１】
ポケットインサート１２４はまた、上リム１０４を上リムポケット１１０内に保持するために、あり継ぎボルト１２０の下部１２０Ｂと連動し、連結し、またはその他の方法で受け入れるように構成される、あり継ぎトラック１４０を形成することができる。あり継ぎトラック１４０は、リムポケット１１０の遠位端部１２８の近位に、またはそれに隣接して配置され得る。あり継ぎトラック１４０はまた、チャネル１３０、１３２の間に配置することができ、リム１０４の中心線に沿って延びる長手方向軸Ｌと平行に延びることができる。
【００３２】
リムボルト１１８は、リム１０４をリムポケット１１０に固定するために、リムポケット１１０の近位端部１４４上に配置されるリムボルト開口部１４２に連結されるか、またはリムボルト開口部１４２によって受け入れられ得る。例えば、リムボルト１１８は、リムポケット１１０のリムボルト開口部１４２内にねじ込み可能に受け入れられるねじ付き下部１４６を含むことができる。リム１０４は、リム１０４の近位端部１１４にスロットまたはノッチ１４８を含むことができる。スロットまたはノッチ１４８は、リム１０４をリムポケット１１０に保持するためにリムボルト１１８と係合するように構成され得る。いくつかの態様では、スロットまたはノッチ１４８は、リムボルト１１８をリムボルト開口部１４２から取り外すことなく、リムポケット１１０からリム１０４を取り外すことを可能にできる。いくつかの態様では、射手が、リムボルト開口部１４２に対してリムボルト１１８を回すことによって、弓弦を引くのに必要なウェイトを延伸状態（すなわち、ドローウェイト）に変化させることができる。
【００３３】
あり継ぎボルト１２０は、上部１２０Ａと、下部１２０Ｂとを含むことができる。上部１２０Ａは、下部１２０Ｂに連結されるか、または他の方法で取り付けられ得る。例えば、上部１２０Ａは、下部１２０Ｂにねじ込み可能に取り付けられ得る。さらに、あり継ぎボルト１２０の上部１２０Ａおよび下部１２０Ｂは、リム１０４の近位端部１１４内のあり継ぎ開口部１５０を通して延びることができる。上部１２０Ａを下部１２０Ｂに連結することにより、リム１０４に対して締付力を発生させることができ、これにより、あり継ぎボルト１２０をリム１０４のあり継ぎ開口部１５０内に保持することができる。
【００３４】
図３Ａおよび図３Ｂはポケットインサート１２４を示し、ポケットインサート１２４は、ポケットインサート１２４のリムに面する表面１５２内に形成され、機械加工され、またはその他の方法で画定される１つ以上のチャネル１３０、１３２を含むことができる。１つ以上のチャネル１３０、１３２は、それぞれポケットインサート１２４の長さにわたる第１のチャネル１３０および第２のチャネル１３２を含むことができる。第１のチャネル１３０は、第２のチャネル１３２に実質的に平行に延びることができる。いくつかの態様において、第１のチャネル１３０は、第２のチャネル１３２から横方向に離間することができる。第１のチャネル１３０および第２のチャネル１３２はそれぞれ、第１および第２のリム接触部材１３４、１３６を受け入れるように構成され得る。図３Ａおよび図３Ｂに表示される例示的な態様は２つのチャネル（例えば、第１チャネル１３０および第２のチャネル１３２）を有するが、ポケットインサート１２４の他の態様は単一のチャネルまたは３つ以上のチャネルを含むことができる。さらに、または代替的に、単一のリム接触部材は、複数のチャネルに同時に接触するように構成され得る。例えば、単一のリム接触部材の端部は、第１および第２のチャネル１３０、１３２内に受け入れられ得るとともに、単一のリム接触部材の中間部は第１および第２のチャネル１３０、１３２の間にわたることができる。
【００３５】
第１および第２のチャネル１３０、１３２は、チャネル１３０、１３２内に複数の取り付け位置１５４Ａ−Ｃ、１５６Ａ−Ｃを含むことができる。いくつかの態様では、取り付け位置１５４Ａ−Ｃの各々は、第１のチャネル１３０に対して特定の配置で第１のリム接触部材１３４を保持するように構成され得る。一態様では、取り付け位置１５４Ａ−Ｃは第１のチャネル１３０の長さに沿って均等に配置される複数の別個の取り付け位置を含む。別の態様では、取り付け位置１５４Ａ−Ｃが第１のチャネル１３０の長さにわたる無限数の取り付け位置を提供するように構成される取付けトラックを画定することができる。同様に、取り付け位置１５６Ａ−Ｃの各々は、第２のチャネル１３２に対して特定の位置で第２のリム接触部材１３６を保持するように構成され得る。一態様では、取り付け位置１５６Ａ−Ｃは第２のチャネル１３２の長さに沿って均等に配置される複数の別個の取り付け位置を含む。別の態様では、取り付け位置１５６Ａ−Ｃが第２のチャネル１３２の長さにわたる無限数の取り付け位置を提供するように構成される取付けトラックを画定することができる。取り付け位置１５４Ａ−Ｃ、１５６Ａ−Ｃは、ねじ切りされる開口部であってもよく、各開口部は締結具（例えば、締結具１３８）を受け入れるように構成される。
【００３６】
ポケットインサート１２４はまた、ポケットインサート１２４のリムに面する表面１５２上に形成され、機械加工され、または他の方法で画定されるあり継ぎトラック１４０を含むことができる。あり継ぎトラック１４０は、リム１０４をリムポケット１１０に固定するために、あり継ぎボルト１２０を受け入れおよびあり継ぎボルト１２０と連動するように構成され得る。あり継ぎトラック１４０は、あり継ぎボルト１２０があり継ぎトラック１４０に挿入されるときに、あり継ぎボルト１２０から延びる偏った突出部を受け入れおよび押し下げるように構成される突出部ガイド１５８を含むことができる。あり継ぎトラック１４０はまた、あり継ぎボルト１２０から延びる偏った突出部を受け入れて、あり継ぎボルト１２０をあり継ぎトラック１４０内に固定し、または他の方法で保持するように構成される凹部１６０を含むことができる。
【００３７】
ポケットインサート１２４はまた、１つ以上のポケットインサート貫通孔１６４を有するポケットインサート突出部１６２を含むことができる。ポケットインサート突出部１６２は、ポケットインサート１２４のリムに面する表面１５２にほぼ垂直な方向に延びることができる。ポケットインサート突出部１６２は、リムポケット１１０のリムに面する表面１２６上のインサート凹部１６６内に形成される突出凹部１６８内に受け入れられ得る（図４Ａおよび４Ｂを参照のこと）。ポケットインサート貫通孔１６４はポケットインサート１２４をリムポケット１１０内に保持するために、止めねじ１２２の一部を受け入れることができる。
【００３８】
図３Ｃは、本発明の一態様による、ポケットインサート１２４、リム接触部材１３４、１３６、およびシム１６９を示す。１つ以上の締結具１３８を使用して、ポケットインサート１２４のそれぞれのチャネル１３０、１３２内に複数のリム接触部材１３４、１３６を動作可能に連結することができる。いくつかの態様では、締結具１３８は１つ以上のシム１６９をポケットインサート１２４に動作可能に連結するために使用することもできる。例えば、１つ以上のシム１６９が、第１のリム接触部材１３４と、ポケットインサート１２４の第１のチャネル１３０との間に配置され得る。同様に、１つ以上のシム１６９が、第２のリム接触部材１３６とポケットインサート１２４の第２のチャネル１３２との間に配置され得る。シム１６９は、各シム１６９の開口部またはスロットを通して延びる締結具１３８の１つにより加えられる圧力によって、ポケットインサート１２４のチャネル１３０、１３２のうちの１つ内の適所に保持される薄板とすることができる。他の態様では、ポケットインサート１２４が省略される場合、チャネルはリムポケット内に直接形成することができ、１つ以上のシム１６９は、リム接触部材とリムポケットとの間に配置され得る（例えば、リムポケットの表面上に形成されるチャネル）。
【００３９】
いくつかの態様では、それぞれのリム接触部材１３４、１３６の下に配置するシム１６９の量または厚さを利用して、弓弦が引かれ放たれるときの、リムの遠位先端部の移動を調節することができる。例えば、多数のシムまたはより厚いシム１６９を第１のリム接触部材１３４の下に配置し、より少ないシムまたはより薄いシム１６９を第２のリム接触部材１３６の下に配置し、それによってリムのライザーに面する表面およびリムポケットの遠位端部に対して角度を作り出すことができる（図９参照）。第２のリム接触部材１３６よりも多くの数のシムまたはより厚いシム１６９を第１のリム接触部材１３４の下に配置することによって、リムはリムの長手方向軸（例えば、図２に示される長手方向軸Ｌ）に対して、強制的にねじられるか、旋回するか、またはその他の方法で回され得る。したがって、リムの遠位先端部または端部は、射手によって所望されるように移動しまたは動くように、調整されまたは調節され得る（例えば、弓弦が引かれて放たれている間、直線で移動するように調整されまたは調節され得る）。他の態様では、多数のシムまたはより厚いシム１６９を第２のリム接触部材１３６の下に配置し、より少ないシムまたはより薄いシム１６９を第１のリム接触部材１３４の下に配置することができる。さらに他の態様では、同数のシム１６９を、第１および第２のリム接触部材１３４、１３６のそれぞれの下に配置することができる。
【００４０】
図４Ａおよび４Ｂは、ライザー１０２のリムポケット１１０がリムポケット１１０の遠位端部１２８の近傍に配置されるインサート凹部１６６を含むことができる、本開示の別の例示的な態様を表示する。インサート凹部１６６は、リムポケット１１０内にポケットインサート１２４を受け入れるように構成され得る。インサート凹部１６６は、突出凹部１６８および外壁１７０を画定することができる。いくつかの態様では、インサート凹部１６６は、ポケットインサート１２４のリムに面する表面１５２がリムポケット１１０のリムに面する表面１２６と同一平面を保つかまたは整列したままであるようにポケットインサート１２４を保持することができる。突出凹部１６８は、リムポケット１１０のリムに面する表面１２６に垂直に延びることができる。突出凹部１６８は、ポケットインサート１２４のポケットインサート突出部１６２の少なくとも一部を受け入れるように構成され得る。少なくとも１つの止めねじ１２２を使用して、ポケットインサート１２４をインサート凹部１６６内に固定することができる。例えば、１つ以上の止めねじ１２２は、リムポケット１１０の１つ以上の側面１７４を通して延びるライザー貫通孔１７２内にねじ込み可能に受け入れられ得る。ライザー貫通孔１７２は、ポケットインサート１２４がリムポケット１１０のインサート凹部１６６内に配置されている間、ポケットインサート貫通孔１６４と位置合わせすることができる。
【００４１】
図５Ａ−Ｃは、本開示による、位置変更可能なリム接触部材１３４、１３６を有するリムポケット１１０を表示する。リムポケット１１０は、第１のリム接触部材１３４および第２のリム接触部材１３６に連結されるポケットインサート１２４を含むことができる。第１のリム接触部材１３４は、第１のチャネル１３０内に配置され得る。より具体的には、第１のリム接触部材１３４は第１のチャネル１３０内の複数の取り付け位置１５４のうちの１つに保持され得る。各取り付け位置１５４は、第１のリム接触部材１３４をチャネル１３０に対して特定の位置で保持することができる。本開示の一態様では、取り付け位置１５４はチャネル１３０の長さに沿って均等に配置される複数の別個の取り付け位置を含む。同様に、第２のリム接触部材１３６は、第２のチャネル１３２内に配置され得る。より具体的には、第２のリム接触部材１３６は第２のチャネル１３２内の複数の取り付け位置１５６のうちの１つに保持され得る。各取り付け位置１５６は、第２のリム接触部材１３６をチャネル１３２に対して特定の位置で保持することができる。
【００４２】
図５Ａおよび５Ｂに表示されるように、第１および第２のリム接触部材１３４、１３６は、リムポケット１１０の遠位端部１２８の近位または近傍に配置され得る。言い換れば、第１および第２のチャネル１３０、１３２は、リムポケット１１０の遠位端部１２８に隣接する位置にリム接触部材１３４、１３６の各々を保持する取り付け位置１５４、１５６を含むことができる。代替的に、図５Ｃに示されるように、第１および第２のリム部接触部材１３４、１３６はリムポケット１１０の遠位端部１２８から離間した各それぞれのチャネル１３０、１３２内で配置されまたは位置調整され得る。弓弦がアーチェリー用弓（例えば、図１のアーチェリー用弓１００）に連結されるときに、リム１０４は、第１および第２のリム接触部材１３４、１３６の周りで曲がるか、または撓むように強制され得る。延伸状態では、弓弦は第１および第２のチャネル１３０、１３２内の第１および第２のリム接触部材１３４、１３６のそれぞれの取り付け位置（例えば、図３Ａの１５４Ａ−Ｃおよび１５６Ａ−Ｃ）に対して、特定の弓弦張力を発揮することができる。言い換えれば、図５Ａおよび５Ｂに表示される第１および第２のリム接触部材１３４、１３６のそれぞれの取り付け位置によって引き起こされる弓弦張力は、図５Ｃに表示される第１および第２のリム接触部材１３４、１３６のそれぞれの取り付け位置によって引き起こされる弓弦張力と同じではない。しかしながら、リムポケット１１０に対する第１および第２のリム接触部材１３４、１３６の取り付け位置を調節しても、アーチェリー用弓のドローウェイトを実質的に変えないだろう。
【００４３】
図６Ａは、本開示によるアーチェリー用弓の上部６００を表示する。上部６００は、ライザー６０２と、リムポケット６１０と、リム６１４とを含むことができる。リム６１４は、リム６１４の中心線と一致する長手方向軸Ｌを画定することができる。長手方向軸Ｌは、リム６１４に着脱可能に連結されるあり継ぎボルト６０９と交わることができる。本発明のいくつかの態様では、リム７０４の長手方向軸Ｌはリムポケット６１０の中心面Ｃpと整列させることができる。
【００４４】
図６Ｂ−Ｄは、それぞれ、図６Ａの線６−６を通るアーチェリー用弓の断面図を表示する。図６Ｂ−Ｄはまた、本開示による位置調整可能なリム接触部材を有するアーチェリー用弓の例示的な態様を図示する。図６Ｅは、図６Ｂ−Ｄに表示される各例示的な態様に関連する、結果として生じる正規化弓弦張力および正規化ドローウェイトを表示するグラフ図を示す。
【００４５】
図６Ｂは、アーチェリー用弓の上部６００の開示の一態様の断面図を表示する。リム接触部材６０２は、ポケットインサート６０６のチャネル６０４内に配置され得る。より具体的には、リム接触部材６０２は、リム接触部材６０２をリムポケット６１０の遠位端部６０８の近位または近傍に配置する取り付け位置に連結される。図６Ｃは、アーチェリー用弓の上部６００を示す、本開示の別の態様の断面図を表示する。本開示のこの態様では、リム接触部材６０２がポケットインサート６０６のチャネル６０４内で位置調整される。より具体的には、リム接触部材６０２は、チャネル６０４の中間点にリム接触部材６０２を配置するとともに、リム接触部材６０２をリムポケット６１０の遠位端部６０８から離間させる取り付け位置に連結される。図６Ｄは、アーチェリー用弓の上部６００の本開示のさらに別の態様の断面図を表示する。この態様では、リム接触部材６０２がさらに再び、ポケットインサート６０６のチャネル６０４内で位置調整される。より具体的には、リム接触部材６０２は、チャネル６０４の端部６１８にリム接触部材６０２を配置するとともに、リムポケット６１０の遠位端部６０８から最も遠く離間させる取り付け位置に連結される。
【００４６】
図６Ｂを参照すると、リム接触部材６０２は、リム６１４の近位端部６１６から距離D1でリム６１４のライザーに面する表面６１２に接触するように配置され得る。言い換えれば、リム接触部材６０２は、リム接触部材６０２を、リム６１４の近位端部６１６から距離D1で、リム６１４のライザーに面する表面６１２に接触させる取り付け位置（例えば、図３Ａの取り付け位置１５６Ｃ）に連結することができる。図６Ｂ−Ｄに図示するように、距離D1は、チャネル６０４内の他の取り付け位置に関連する距離とは長さが異なる。本開示のいくつかの態様では、リム６１４の近位端部６１６と、リム接触部材６０２がリム６１４のライザーに面する表面６１２に接触する位置との間の距離を変えることは、リム６１４の長さを変え、これは弓弦が射手によって引かれ放たれるときに、撓みまたは曲がることを可能にする。したがって、リム接触部材６０２の取り付け位置を変えまたは位置調整することにより、弓弦が射手によって引かれて放たれている間に応答し、撓み、または他の方法で曲がることができるリム６１４の長さを効果的に変えることができる。さらに、上述したように、リムの有効長さを変えることにより、アーチェリー用弓のドローウェイトに著しく影響を与えることなく弓弦の張力を変化させることができる（例えば、ドローウェイトの変化は１−２%未満）。
【００４７】
図６Ａ−Ｄには１つのリムポケット６１０（例えば、上リムポケット）のみが表示されているが、第２のリムポケット（例えば、下リムポケット）はまた、第２のリムポケット内の複数の取り付け位置に対して位置調整可能であるように構成される１つ以上のリム接触部材を含むことができることを理解されたい。図６Ｅに関して、一対のリム接触部材を上リムポケット内に配置し、別の一対のリム接触部材をアーチェリー用弓の下リムポケット内に配置した。一例として、リム接触部材は図６Ｂ−Ｄで説明されるように、各リムポケット（すなわち、上および下リムポケット）内に配置し、その後に力測定値を記録し、正規化した。測定値を正規化するために、力の測定値を４６ポンド（20.8652キログラム）で割り、およびドローレングスの測定値を３０インチ（76.2センチメートル）で割った。したがって、Ｄは３０インチの１００%を表し、Ｆは４６ポンドの１００%を表す。各取り付け位置における記録される力測定値の前記の説明は、例示的なものに過ぎず、添付の特許請求の範囲に記載されているものの範囲、適用可能性、または構成を限定するものと考えるべきではない。
【００４８】
図６Ｅは、図６Ｂ−Ｄに表示される各例示的態様に関連する、結果として生じる弓弦張力およびドローウェイトのグラフ図を図示する。言い換えれば、図６Ｅは、図６Ｂ−Ｄに表示される取り付け位置の各々に関連する、結果として生じる正規化弓弦張力および正規化ドローウェイトを表示する。弦張力の測定値は、アーチェリー用弓を引っぱるドローレングスに対してポンドで記録した。同様に、ドローウェイト測定値は、アーチェリー用弓を引っぱるドローレングスに対してポンドで記録した。図６Ｅに表示されるプロット線は、１つ以上のリム接触部材をリムポケットの近位端部に対して調節または位置調整することによって、アーチェリー用弓のドローウェイトが著しく変わることなくアーチェリー用弓の弓弦張力が変わり得ることを実証する。
【００４９】
図６Ｂに表示される取り付け位置に関しては、リム接触部材はリム６１４の近位端部６１６から距離D1で配置され、弓弦張力はドローレングスがＤインチで１.０７Ｆの力と測定される（図６Ｅの参照文字Ａを参照）。図６Ｃに表示される取り付け位置に関しては、リム接触部材はリム６１４の近位端部６１６から距離D2で配置され、弓弦張力はドローレングスがＤインチで１.１２Ｆの力と測定される（図６Ｅの参照文字Ｂを参照）。図６Ｄに表示される取り付け位置に関しては、リム接触部材はリム６１４の近位端部６１６から距離D3で配置され、弓弦張力はドローレングスがＤインチで１.００Ｆの力と測定される（図６Ｅの参照文字Ｃを参照）。図６Ｅに図示するように、アーチェリー用弓の弓弦張力は１.１２Ｆから１.００Ｆまで変化させるように調節可能であり、差は１２%であった。したがって、射手は、１つ以上のリム接触部材をリムポケットに対して調節または位置調整することによって、射手のアーチェリー用弓の弓弦張力を変化させることができる。
【００５０】
図６Ｂに表示される取り付け位置に関しては、リム接触部材はリム６１４の近位端部６１６から距離D1で配置され、ドローウェイトはＤインチのドローレングスで１.０２F ポンドの力と測定される（図６Ｅの参照文字Ａ'参照）。図６Ｃに表示される取り付け位置に関しては、リム接触部材はリム６１４の近位端部６１６から距離D2で配置され、ドローウェイトはＤインチのドローレングスで１.０１Fポンドの力と測定される（図６Ｅの参照文字Ｂ'を参照）。６Ｄに表示される取り付け位置に関しては、リム接触部材はリム６１４の近位端部６１６から距離D3で配置され、ドローウェイトはＤインチのドローレングスで１.００Ｆの力が測定される（図６Ｅの参照文字Ｃ'を参照）。図６Ｅに図示するように、アーチェリー用弓のドローウェイトは１.０１Ｆから１.００Ｆまで変化し、差は１%であった。したがって、アーチェリー用弓のドローウェイトは、リムポケットに対する１つ以上のリム接触部材の取り付け位置を調節しても、著しくは変わらないだろう（例えば、１%未満）。
【００５１】
図６Ｅに図示され、上述されるように、本開示の一態様では、射手が、ポケットに対して１つ以上のリム接触部材を調節または位置調整することによって、射手のアーチェリー用弓の弓弦張力を１２%の範囲内で変化させることができる。さらに、アーチェリー用弓に関連するドローウェイトは、弓弦張力を調節しても、結果として実質的に影響を受けない（例えば、ドローウェイトは１%の範囲内でのみ変化する）だろう。
【００５２】
本開示の別の態様では、アーチェリー用弓のティラーは上および下リムポケット内にリム接触部材を位置調整することによって調節することができる。リム接触部材をそれぞれのリムポケット内で位置調整することによって、リムが軸方向に支持される位置を変化させることができ、それによってリムの有効長さを調整することができる。例えば、図６Ｂに表示されるようなリムポケット６１０内に支持されるリムはより硬いリムとして機能し、一方、図６Ｃに表示されるようなリムポケット６１０内に支持されるリムは、より柔軟なリムとして機能するであろう。リムの有効長さまたは相対的剛性は、荷重下でリムがどのように偏向するかを変化させることによって、アーチェリー用弓の上および下のティラー距離（図１Ｂ参照）に直接影響させることができる。
【００５３】
また、リムボルトのドローウェイト調節範囲を犠牲にすることなく、ティラーを調節することができる。前述したように、ティラーはアーチェリー用弓のリムボルト（すなわち、ティラーボルト）を回転させることによって調節することができる。例えば、射手は、上リムボルトを時計回りに１回転させ、下リムボルトを反時計回りに１回転させることによって、アーチェリー弓のティラーを調整することができる。しかしながら、このティラーを調節する方法は、リムボルトの有限の回転範囲の一部を利用し、その後、アーチェリー用弓のドローウェイトを調整できる範囲を制限する。
【００５４】
本開示の一態様によれば、例えば、射手は図６Ｂに示すように上リムポケットのリム接触部材を配置し、一方、図６Ｄに示すように下リムポケットのリム接触部材を配置することによって、所望のティラーを達成することができる。この例では、各リムボルトに関連する回転の全範囲が維持され、射手がより広い範囲でドローウェイトの調節可能性を有することを可能にする。
【００５５】
本開示の別の態様では、リム接触部材は、リムがライザーに対して強制的にねじられ、旋回し、または他の方法で回転するようにリムポケット内に配置され得る。本開示の一態様では、ライザーに対して弓リムを旋回させまたは他の方法で回させることによって、弓リムの遠位先端部を、弓弦が引かれて放たれている間に直線で移動するように調整することができる。他の態様では、ライザーに対して弓リムを旋回させ、または他の方法で回すことにより、射手は矢の飛行に影響する外力（例えば、ライザートルク）を補正するために、リムの遠位先端部の移動を調節することができる。図７Ａから図９は、ライザーに対して長手方向軸の周りでリムを回し、ねじり、または他の方法で回転させる態様を図示する。
【００５６】
図７Ａは、本開示によるアーチェリー用弓の上部７００を表示する。上部７００は、ライザー７０２と、リム７０４と、リムポケット７１０とを含むことができる。リム７０４は、リム７０４の中心線に沿って延びる長手方向軸Ｌを画定することができる。長手方向軸Ｌは、リム７０４に着脱可能に連結されるあり継ぎボルト７１２と交わることができる。本発明のいくつかの態様では、リム７０４の長手方向軸Ｌは、リムポケット７１０の中心平面Ｃpと整列させることができる
【００５７】
図７Ｂは、図７Ａの線７-７を通るアーチェリー用弓の上部７００を示す。第１のリム接触部材７０６および第２のリム接触部材７０８はそれぞれ、長手方向軸Ｌの対向する側面上に配置することができる。第１および第２のリム接触部材７０６、７０８はまた、リム７０４のライザーに面する表面７１４とリムポケット７１０のリムに面する表面７１６との間に配置され得る。本開示の一態様では、第１および第２のリム接触部材７０６、７０８は各々、それぞれのチャネル（例えば、図２に表示するチャネル１３０、１３２）内に配置され得る。第１および第２のリム接触部材７０６、７０８は、第１および第２のリム接触部材７０６、７０８がリムポケット７１０の遠位端部７１８から等しく離間するように（例えば、図２に示されるように）、チャネル内で垂直に整列され得る。本開示のこの態様では、リム７０４のライザーに面する表面７１４とリムポケット７１０のリムに面する表面７１６との間の距離または隙間がリム７０４の幅にわたって一定のままである（すなわち図７Ａに示すように、隙間Ｇ１は隙間Ｇ２に等しい）。したがって、リムは、リムの長手方向軸に垂直な支点Ｆの周りで曲がるように強制され得る。
【００５８】
代替的に、第１および第２のリム接触部材７０６、７０８は、第１および第２のリム接触部材７０６、７０８がリムポケット７１０の遠位端部７１８から等しくない間隔で配置されるように（例えば、図８に表示されるように）、垂直整列から外れて配置され得る。本開示のこの態様では、リム７０４のライザーに面する表面７１４は、（図９に表示するように）リムポケット７１０のリムに面する表面７１６に対してある角度で長手方向軸Ｌの周りに回され得る。したがって、リム７０４の遠位先端部または遠位端部は調整されまたは調節され得る。例えば、リム７０４の遠位先端部または端部は、弓弦が引かれて放たれている間、直線で移動するように調整されまたは調節され得る。
【００５９】
図８は、リムポケット８１０がポケットインサート８０２を含む、本開示の態様を表示する。ポケットインサート８０２は、複数の取り付け位置を有する、第１のチャネル８０４と、第２のチャネル８０６とを含むことができる。チャネル８０４、８０６の各々は、１つ以上のリム接触部材８０８、８１２を保持するように構成され得る。図８に表示されるように、第１のリム接触部材８１２は、リムポケット８１０の遠位端部８１４の近位または近傍の第１のチャネル８０６内に配置され得る。しかしながら、第２のリム接触部材８０８は、第２のチャネル８０４内に配置され、リムポケット８１０の遠位端部８１４から離間され得る。言い換えれば、第１および第２のリム接触部材８０８、８１２は、チャネル８０４、８０６内で垂直に整列されておらず、したがって、リムポケット８１０の遠位端部８１４から不均等に離間されている。
【００６０】
図９は、図７Ａの線７-７を通る、チャネル内に配列されるリム接触部材の図を示す。第１および第２のリム接触部材７０６、７０８は、ポケットインサート７０２に連結され得る。第１のリム接触部材７０６は、（図８に表示するように）リムポケット７１０の遠位端部の近位または近傍でポケットインサート７０２に取り付けられ得る。第２のリム接触部材７０８は、（図８に表示するように）リムポケット７１０の遠位端部から離間してポケットインサート７０２に取り付けられ得る。リム７０４がリム接触部材７０６、７０８によって作り出される支点Ｆ（図８参照）の周りで曲がる、撓む、または回転するように強制されると、リム７０４は、リムポケット７１０に対するリム接触部材７０６、７０８の配置のために、長手方向軸（例えば、図７Ａの長手方向軸Ｌ）の周りで回り、または旋回し得る。言い換えれば、第１および第２のリム接触部材７０６、７０８は、リム７０４の近位端部から等距離ではないリム７０４のライザーに面する表面７１４上の位置に接触する。第２のリム接触部材７０８は、第１のリム接触部材７０６よりもリムポケット７１０の近位端部の近くに配置されているので、リム７０４はリム７０４の長手方向軸Ｌに対して斜めである（すなわち、垂直ではない）支点Ｆ（図８を参照）の周りで曲げられる。したがって、リム７０４のライザーに面する表面７１４およびリムポケット７１０の遠位端部に対して角度を作り出す（すなわち、図９に示されるように、隙間Ｇ１は、隙間Ｇ２よりも大きいか、または他の点で隙間Ｇ２と等しくない）。
【００６１】
本開示のさらに別の態様では、アーチェリー用弓のリムポケットは１つ以上のウェイトを保持するように構成され得る。図１０は、アーチェリー用弓の上部１０００の分解図を表示する。上部１０００は、リムポケット１０１０を有するライザー１００２を含むことができる。リムポケット１０１０は、１つ以上のウェイト１００８を受け入れるように構成されるウェイト凹部１００６を有するリムに面する表面１００４を含むことができる。いくつかの態様では、ウェイト凹部１００６は、リムに面する表面１００４内に形成されるか、またはそれによって画定され得る。１つ以上のウェイト１００８は、リムポケット１０１０のウェイト凹部１００６内で連結され得る。例えば、１つ以上のウェイト１００８は、締結具１０１４を受け入れるように構成される貫通孔１０１２を含むことができる。締結具１０１４は、貫通孔１０１２を通して延び、ウェイト凹部１００６内の開口部１０１６とねじ係合して、ウェイト凹部１００６内に１つ以上のウェイト１００８を保持することができる。いくつかの態様では、１つ以上のウェイト１００８がリムポケット１０１０のウェイト凹部１００６内に積み重ねられるように構成され得る。いくつかの態様では、１つ以上のウェイト１００８がウェイト凹部１００６内に取り付けられるかまたは連結されると、ウェイト１００８を視界から完全にまたは部分的に隠すことができ、リム（図示せず）はリムポケット１０１０内に保持される。
【００６２】
本開示の一態様では、ウェイト凹部１００６は、リムポケット１０１０のリムに面する表面１００４上に形成され、インサート凹部１０１８とリムボルト開口部１０２０との間に配置され得る。１つ以上のウェイト１００８は、周辺形状を画定することができる。さらに、ウェイト凹部１００６の外周は、１つ以上のウェイト１００８を受け入れるように対応して成形され得る。例えば、ウェイト凹部１００６の外周または形状は長方形、正方形、円形、楕円形、または任意の他の形状を形成することができ、１つ以上のウェイト１００８は、ウェイト凹部１００６内に受け入れられるように構成される対応断面形状を画定することができる。１つ以上のウェイト１００８の対応する形状は、１つ以上のウェイト１００８がウェイト凹部１００６内で回転または他の方法で動くことを妨げることができる。
【００６３】
図１０は１つ以上のウェイト１００８を受け入れて保持するように構成される単一のリムポケット１０１０のみを表示しているが、アーチェリー用弓の複数のリムポケットが１つ以上のウェイトを受け入れて保持するように構成され得る。例えば、上リムポケットおよび下リムポケットは、それぞれ、１つ以上のウェイトを受け入れ保持するように構成され得る。１つ以上のウェイト１００８を利用して、アーチェリー用弓のバランスを取り、またはウェイトを追加して、弓弦が引かれて放たれる弓がどのように反応するかを修正することができる。
【００６４】
当業者は、本明細書に記載される本開示の態様のすべてが、アーチェリー用弓の複合的なリムポケット上で組み合わされるか、または他の方法で利用され得ることを理解するであろう。さらに、本明細書で説明される本開示の態様のすべては、少なくともリカーブアーチェリーボウ、コンパウンドアーチェリーボウ、またはクロスボウに組み込むことができる。例えば、コンパウンドボウのカムまたは車輪間に延びるケーブルの弦張力は、本開示の態様を使用して変化し得る。
【００６５】
本明細書では、特定の態様および実施例を参照して、様々な発明を説明してきた。しかしながら、以下の特許請求の範囲に記載される発明は本発明の趣旨から逸脱することなく開示される本発明の全ての変形及び修正を包含することが意図されているという点で、本明細書に開示される本発明の範囲及び趣旨から逸脱することなく多くの変形が可能であることは当業者に認識されるであろう。明細書及び特許請求の範囲において使用される「含む」および「有する」という用語は、「備える」という用語と同一の意味を有するものとする。
【図１Ａ】
2020183861.tif 000003
【図１Ｂ】
2020183861.tif 000004
【図１Ｃ】
2020183861.tif 000005
【図２】
2020183861.tif 000006
【図３−１】
2020183861.tif 000007
【図３−２】
2020183861.tif 000008
【図４】
2020183861.tif 000009
【図５−１】
2020183861.tif 000010
【図５−２】
2020183861.tif 000011
【図６−１】
2020183861.tif 000012
【図６−２】
2020183861.tif 000013
【図６−３】
2020183861.tif 000014
【図７】
2020183861.tif 000015
【図８】
2020183861.tif 000016
【図９】
2020183861.tif 000017
【図１０】
2020183861.tif 000018
【外国語明細書】
2020183861000001.pdf